(57)【要約】【課題】保護枠を備えた集水桝において、保護枠の角部や外縁周辺のコンクリート部分が損傷し難い保護枠及び、当該保護枠を備えた集水桝を提供することを目的とする。  【解決手段】  内部に集水空間Ｄを備える集水桝２００の上端に取り付ける保護板１１０と、集水桝２００を構成するコンクリートＣと固着するための第一鉄筋１４０を、保護板１１０の裏面側に沿うように備えた保護枠１００であって、保護板１１０の裏面側から延び、第一鉄筋１４０を保護板１１０の裏面側から所定距離離した状態で支える脚部１２０と、集水桝２００を構成するコンクリートＣの縦方向の骨組みとなる第二鉄筋Ｘの先端の位置を決めるための、位置決め部材１３０とを備え、位置決め部材１３０は、第一鉄筋１４０上に設置されていることを特徴とする。 【選択図】図２
2017036646.tif 000002
【特許請求の範囲】
【請求項１】
内部に集水空間を備える集水桝の上端に取り付ける保護板と、
集水桝を構成するコンクリートと固着するための第一鉄筋を、前記保護板の裏面側に沿うように備えた保護枠であって、
前記保護板の裏面側から延び、前記第一鉄筋を前記保護板の裏面側から所定距離離した状態で支える脚部と、
前記集水桝を構成するコンクリートの縦方向の骨組みとなる第二鉄筋の先端の位置を決めるための、位置決め部材とを備え、
当該位置決め部材は、前記第一鉄筋上に設置されていることを特徴とする保護枠。
【請求項２】
前記位置決め部材は、中空状で縦方向の両端に開口部を有することを特徴とする請求項１に記載の保護枠。
【請求項３】
請求項１又は２に記載の保護枠を備えた集水桝であって、
本体部の外側面は、平面状に形成され、
本体部の内側面には、薄肉の凹部が形成され、
当該凹部に対応する本体部の外側面には、切り溝が形成されていることを特徴とする集水桝。
【発明の詳細な説明】
【技術分野】
【０００１】
本願発明は、排水管、側溝等の交差部に設置され、排水管や側溝等を相互に連結する集水桝、及び当該集水桝に取り付けられる保護枠に関する。
【背景技術】
【０００２】
従来から、様々な種類の集水桝が知られており、その構成は基本的に同じで、例えば、特許文献１に示すように、集水空間を備えるコンクリート製の本体部と、当該本体部の上端を保護する保護枠から構成されている。
【０００３】
ここで、特許文献１に見られるような一般的な集水桝を、図８に示す。この集水桝４００は、コンクリート製であり、その上端に金属性の保護枠３００が取り付けられている。この保護枠３００の取り付け方法であるが、集水桝４００の形状に象られた型枠底面に、保護枠３００の裏面側が上向きになるように配置しておき（図８（ａ）に示す状態）、その上からコンクリートＣを流し込んで、保護枠３００と集水桝４００とを固着させている。
【０００４】
そして、保護枠３００の裏面側には、図８（ａ）に示すように、保護板３１０の裏側の四隅に脚部３２０が設けられ、その脚部３２０の間に掛け渡されるように、第一鉄筋３４０が支持されている。この第一鉄筋３４０は、保護板３１０に沿うように保護板３１０から浮いた状態で、横方向に延びており、第一鉄筋３４０の周囲にコンクリートＣが流れ込みやすくなっている。そのため、コンクリートＣが固まれば、保護枠３００と集水桝４００とは強固に固着することになる。
【０００５】
また、集水桝４００は、図８（ｂ）に示すように、縦方向に長いため、コンクリートＣの縦方向の骨組みとなるべき第二鉄筋Ｘを利用している。そして、この第二鉄筋Ｘは、型枠にコンクリートＣを流し込む前に、第二鉄筋Ｘの先端を脚部３２０に差し込むことで、位置決めされている。
【０００６】
ここで、脚部３２０の形状は、第二鉄筋Ｘの先端が差し込める空間を確保するために、比較的大きな内径を有する略筒形状となっている。そのため、脚部３２０周辺（例えば、内部Ｙ１）ではコンクリート部分の厚さが薄くなるため、強度が落ち、破損しやすくなる。特に、脚部３２０周辺は、集水桝４００の角部や外縁であるから、運搬時や道路等に設置された後に外力がかかりやすい部分となり、尚更損傷しやすい。また、脚部３２０は略筒形状であるから、脚部３２０の内側（例えば、内部Ｙ２）にコンクリートＣが流れ込みにくく、空洞ができる可能性がある。すると、その空洞からコンクリートＣに亀裂が発生し、脚部３２０周辺のコンクリート部分が損傷しやすくなる。
【先行技術文献】
【特許文献】
【０００７】
【特許文献１】特開２０１０−６５５０４号
【発明の開示】
【発明が解決しようとする課題】
【０００８】
そこで、本願発明は、保護枠を備えた集水桝において、保護枠の角部や外縁周辺のコンクリート部分が損傷し難い保護枠及び、当該保護枠を備えた集水桝を提供することを目的とする。
【課題を解決するための手段】
【０００９】
上記課題を解決するために、本願発明の保護枠は、内部に集水空間を備える集水桝の上端に取り付ける保護板と、集水桝を構成するコンクリートと固着するための第一鉄筋を、前記保護板の裏面側に沿うように備えた保護枠であって、前記保護板の裏面側から延び、前記第一鉄筋を前記保護板の裏面側から所定距離離した状態で支える脚部と、前記集水桝を構成するコンクリートの縦方向の骨組みとなる第二鉄筋の先端の位置を決めるための、位置決め部材とを備え、当該位置決め部材は、前記第一鉄筋上に設置されていることを特徴としている。
【００１０】
上記特徴によれば、第一鉄筋を支持するための脚部と、第二鉄筋の先端を位置決めするための位置決め部材を個別に設けたことで、従来のように、脚部に第二鉄筋の先端を差し込むためのスペースを設ける必要がない。そのため、第二鉄筋の先端を差し込まない分だけ、脚部を小さくすることが可能で、より多くのコンクリートが脚部の周囲に固着できるようになる。その結果、脚部周辺の集水桝の角部や縁部は、損傷しにくくなる。
【００１１】
次に、本願発明の保護枠は、位置決め部材が、中空状で縦方向の両端に開口部を有することを特徴としている。
【００１２】
上記特徴によれば、両端の開口部は互いに連通した状態となるので、上方から流れ込んだコンクリートは、上側の開口部から下側の開口部へと通ることができ、位置決め部材周辺にコンクリートは隙間無く確実に充填される。その結果、位置決め部材周辺に空洞ができることがなく、その空洞が原因でコンクリートに亀裂が入る問題等が生じにくい。
【００１３】
次に、本願発明の集水桝は、前記保護枠を備えると共に、本体部の外側面は、平面状に形成され、本体部の内側面には、薄肉の凹部が形成され、当該凹部に対応する本体部の外側面には、切り溝が形成されていることを特徴としている。
【００１４】
上記特徴によれば、集水桝の角部や外縁周辺のコンクリート部分が損傷し難い。また、集水桝に配管等を接続する際は、切り溝に沿って切削工具で切り込めば、容易に排水管や側溝等の形状と一致する貫通孔を空けることができる。さらに、切り溝が設けられた外側面の裏側は、薄肉の凹部となっているので、切削工具で切り込んで容易に貫通させることができる。さらに、外側面は平面状に形成されているので、作業者は、切削工具を用いて、その平面に対して切削加工を行えばよい。そのため、外側面の一部が窪み、凹凸面を備えた場合と比較すると、切削加工が行い易くなる。
【発明の効果】
【００１５】
上述したように、保護枠及び当該保護枠を備えた集水桝は、保護枠の角部や外縁周辺のコンクリート部分が損傷し難い。
【図面の簡単な説明】
【００１６】
【図１】（ａ）は本願発明の保護枠を備えた集水桝の全体斜視図、（ｂ）は当該集水桝の平面図、（ｃ）はＡ―Ａ断面図、（ｄ）はＢ―Ｂ断面図である。
【図２】（ａ）は本願発明の保護枠の裏面側の全体斜視図、（ｂ）は当該保護枠の裏面側の平面図、（ｃ）は当該保護枠の裏面側の側面図である。
【図３】（ａ）及び（ｂ）は、本願発明の保護枠を用いて集水桝を形成する方法を説明するもので、保護枠の裏面側から見た平面図である。
【図４】図３で説明する方法によって完成した集水桝を示す全体斜視図である。
【図５】本願発明の保護枠の作用効果について説明する概念図であって、（ａ）は、図４に示す保護枠の角部周辺を裏面側から拡大して平面視した概念図、（ｂ）は、図４に示す保護枠の角部周辺を上下反転させた状態で拡大して側面視した概念図である。
【図６】本願発明の集水桝を路面に埋めて、排水管等と接続している状態を説明する概念図で、手前側の路面を一部取り除いて示すものである。
【図７】（ａ）は本願発明の変形例１に係る保護枠の裏面側の全体斜視図、（ｂ）は本願発明の変形例２に係る保護枠であって、裏面側の位置決め部材周辺を拡大した斜視図、（ｃ）は図７（ｂ）に示す位置決め部材周辺を拡大した平面図である。
【図８】（ａ）は本願発明の従来技術を示す保護枠であって、裏面側の全体斜視図、（ｂ）は図８（ａ）に示す保護枠を備えた従来技術を示す集水桝の全体斜視図、（ｃ）は図８（ｂ）に示す保護枠の角部周辺を裏面側から拡大して平面視した概念図である。
【符号の説明】
【００１７】
１００  保護枠
１１０  保護板
１２０  脚部
１３０  位置決め部材
１４０  第一鉄筋
２００  集水桝
Ｃ      コンクリート
Ｘ      第二鉄筋
Ｄ      集水空間
【発明を実施するための形態】
【００１８】
以下に、本発明の実施の形態について、図面を用いて説明する。なお、本明細書において「縦」及び「縦方向」とは、集水桝２００を水平面に設置した際に、集水桝２００の長尺方向、つまり高さ方向を意味する。そして、「横」及び「横方向」とは、集水桝２００を水平面に設置した際に、縦方向に垂直に交わる方向を意味する。
【００１９】
先ず、図１（ａ）は、保護枠１００を備えた集水桝２００全体を示している。この集水桝２００の本体部２１０は、略直方体であり、内部は雨水等を集水可能な集水空間Ｄとなっている。また、集水桝２００の上端には、保護枠１００が取り付けられている。この保護枠１００は、図１（ａ）及び（ｂ）に示すように、枠状に組まれた保護板１１０から構成され、平面視略正方形である。また、保護板１１０は、平坦部１１１と、当該平坦部１１１から下方へ連続する段部１１２とからなる。この段部１１２には、集水桝２００の開口部を蓋閉するグレーチング等を載置できる。なお、集水桝２００は後述するように、コンクリート成型されたものである。一方、保護枠１００は金属性材料であり、特に限定されないが、保護枠１００の保護板１１０は高耐食溶融めっき鋼板「ＺＡＭ（登録商標）」を使用するのが好ましい。
【００２０】
次に、集水桝２００の本体部２１０の各外側面２１１は平面となっている。一方、図１（ｃ）及び（ｄ）に示すように、本体部２１０の各内側面２１２には、縦断面が略長方形で所定の深さの窪みが形成されており、それにより、周囲の厚さ（本体部２１０の壁厚）に比べて薄い、薄肉状の凹部２３０が形成されている。そして、この凹部２３０の反対側に位置する外側面２１１、つまり凹部２３０に対応する外側面２１１には、縦方向及び横方向に延びる複数の切り溝２４０が形成されている。
【００２１】
なお、図１では、切り溝２４０は縦方向及び横方向に形成されて碁盤目状になっているが、これに限定されない。後述するが、この切り溝２４０は、切削具により本体部２１０の一部を、配管等の形状に合わせて切り込む際に、切削具の刃先等をガイドする役割を果たすものであるから、この切り溝２４０は配管等の形状に合わせて適宜変更することができる。例えば、直線状の切り溝２４０を縦又は横の一方向のみに設けたり、切り溝２４０を円形等にしてもよい。
【００２２】
では次に、保護枠１００の裏面側を図２に示す。保護板１１０の四隅の裏面側に、棒状の金属性の脚部１２０が垂直に立てられた状態で溶接されている。そして、この脚部１２０の先端に、棒状の金属性の第一鉄筋１４０が掛け渡されるように溶接されている。この第一鉄筋１４０は枠状に組み付けられており、脚部１２０によって、保護板１１０に沿いつつ保護板１１０の裏面側から所定距離離して浮いた状態で支持されている。なお、第一鉄筋１４０を保護板１１０の裏面側から浮いた状態とすることで、この第一鉄筋１４０周囲にコンクリートを充填しやすくし、保護板１１０と集水桝２００とを強固に固着させている。そのため、第一鉄筋１４０周囲にコンクリートを充填できれば、第一鉄筋１４０を保護板１１０の裏面側から離す所定距離は、適宜変更することができる。
【００２３】
さらに、保護枠１００の四隅において、第一鉄筋１４０の表面上に位置決め部材１３０が溶接固定されている。この位置決め部材１３０は、環状の側壁１３１を備える金属性のリング状部材であり、内側は側壁１３１に囲まれて中空状となり、その縦方向の両端は解放されて開口部１３２となっている。また、この位置決め部材１３０の側壁１３１の高さは任意に設定することができるが、後述する第二鉄筋Ｘの先端が位置決め部材１３０から外れない程度に位置決めできればよいので、図２（ｃ）に示すように、低くしてもよい。
【００２４】
また、位置決め部材１３０はリング状部材以外にも、第二鉄筋Ｘの先端が位置決め部材１３０から外れない程度に位置決めできる形状であればよい。例えば、位置決め部材１３０は、連続した完全なリング状でなくても、一部が切断された略Ｃ形状であってもよい。なお、第二鉄筋Ｘの先端を位置決め部材１３０から外れない程度に位置決めできるとは、第二鉄筋Ｘの先端が位置決め部材１３０の側壁１３１の内面側に配置でき、その側壁１３１の内面側の範囲内であれば、第二鉄筋Ｘの先端は多少移動してもよいという意味であって、第二鉄筋Ｘの先端が完全に動かないように、位置決め部材１３０が第二鉄筋Ｘの先端を強固に固定するものに限定されない。
【００２５】
なお、位置決め部材１３０は第一鉄筋１４０上であれば任意の位置に溶接固定してもよいが、図２（ｃ）に示すように、位置決め部材１３０の外縁が保護板１１０の外縁よりも内側に配置される範囲内でなければならい。なぜなら、位置決め部材１３０の外縁が保護板１１０の外縁よりも外側に配置されると、後述するように、コンクリートを流し込んで集水桝２００を形成する際に、その集水桝２００の外側面２１１から、位置決め部材１３０が飛び出てしまうからである。また、位置決め部材１３０は第一鉄筋１４０上に配置されているので、第二鉄筋Ｘの先端は第一鉄筋１４０に当接して、縦方向に支持される。
【００２６】
では次に、保護枠１００を用いて集水桝２００を製造する方法について、図３を参照して説明する。まず、図３（ａ）に示すように、保護枠１００の裏面側を上方に向けた状態で、水平面に設置し、その周囲を囲むように型枠Ｍ１を宛がう。この型枠Ｍ１は、集水桝２００の本体部２１０の外側面２１１を形成するものであり、表面が平坦な板状部材である。また、後述するコンクリート注入後に、外側面２１１の表面に切り溝２４０（図１参照）が形成されるように、型枠Ｍ１の内側表面には、切り溝２４０を象った突起形状が設けられている。
【００２７】
一方、保護枠１００の内側には、横断面略矩形状の略筒型の型枠Ｍ２を設置する。この型枠Ｍ２の外面は、後述するコンクリート注入後に、本体部２１０の内側面２１２及び凹部２３０を形成するために、凹凸面を備えている。
【００２８】
次に、図３（ｂ）に示すように、型枠Ｍ１及び型枠Ｍ２を設置した後、縦方向の骨組みとなる長尺状の第二鉄筋Ｘの先端を、位置決め部材１３０の側壁１３１の内側に位置させる。なお、第二鉄筋Ｘの先端のみを位置決め部材１３０によって位置決めしても、第二鉄筋Ｘは長尺状であるから、左右に傾いて、型枠Ｍ１や型枠Ｍ２に接触する可能性もあるが、その場合は、第二鉄筋Ｘの後端側において、型枠Ｍ１や型枠Ｍ２との距離を一定に保つための別の保持部材を適宜利用すればよい。
【００２９】
そして、型枠Ｍ１と型枠Ｍ２との間に出来た隙間にコンクリートを流し込む。コンクリトートが固まった後に、型枠Ｍ１と型枠Ｍ２を取り外し、上下を反転させると、図４に示す、保護枠１００を備えた集水桝２００が完成する。
【００３０】
では次に、図５を参照して、本願発明の保護枠１００の作用効果について説明する。図５（ａ）には、図４に示す保護枠１００の角部周辺を裏面側から拡大して、平面視した概念図を示す。図５（ｂ）には、図４に示す保護枠１００の角部周辺を上下反転させた状態で拡大して、側面視した概念図を示す。なお、図に示すように、第二鉄筋Ｘの先端X１は、位置決め部材１３０の側壁１３１の内側に配置され、位置決め部材１３０から外れないように、位置決めされている。
【００３１】
図５（ａ）及び（ｂ）に示すように、第一鉄筋１４０を支持するための脚部１２０と、第二鉄筋Ｘの先端を位置決めするための位置決め部材１３０を個別に設けたことで、従来のように、脚部１２０に第二鉄筋Ｘの先端を差し込むためのスペースを設ける必要がない。そのため、第二鉄筋Ｘの先端を差し込まない分だけ、脚部１２０を小さくすることが可能で、より多くのコンクリートＣが脚部１２０の周囲に固着できるようになる。例えば、図５では、第二鉄筋Ｘの先端を差し込む必要がないので、脚部１２０を棒状とすることができる。したがって、脚部１２０周辺には、コンクリートＣが充填される空間が確保され、コンクリートＣの厚さが厚くなる。その結果、脚部１２０周辺の集水桝２００の角部や縁部は、損傷しにくくなる。
【００３２】
また、位置決め部材１３０は、内部が中空状で、その縦方向の両端は開口部１３２となっているため、両端の開口部１３２は互いに連通した状態である。したがって、上方から流れ込んだコンクリートＣは、上側の開口部１３２から下側の開口部１３２へと通ることができるので、位置決め部材１３０周辺にコンクリートＣは隙間無く確実に充填される。その結果、位置決め部材１３０周辺に空洞ができることがなく、その空洞が原因でコンクリートＣに亀裂が入る問題等が生じにくい。
【００３３】
また、位置決め部材１３０は、脚部１２０及び第一鉄筋１４０とは別部材であるから、第一鉄筋１４０上の任意の位置に個別に設置することができる。そのため、第二鉄筋Ｘの位置を少しずらした集水桝２００を製造したい場合は、保護枠１００の製造時に、位置決め部材１３０の位置を第二鉄筋Ｘの位置に合わせてずらした状態で、第一鉄筋１４０上に溶接固定すれば、容易に対応できる。
【００３４】
さらに、位置決め部材１３０は、脚部１２０及び第一鉄筋１４０とは別部材であるから、第二鉄筋Ｘの先端の外径や形状に合わせて、位置決め部材１３０の種類を変更して個別に設置できる。そのため、先端の外径や形状を変えた第二鉄筋Ｘを使用する場合は、その第二鉄筋Ｘに対応した外径や形状を有する位置決め部材１３０を別途準備して、保護枠１００の製造時に、その位置決め部材１３０を第一鉄筋１４０上に溶接固定すれば、容易に対応できる。
【００３５】
また、図８に示すように、従来から、集水桝４００は略直方体で各外側面の中央部分に配管等を接続するための貫通孔を備えることから、その集水桝４００の骨組みとなる第二鉄筋Ｘは、集水桝４００の四隅に配置するのが、一般的によく採用される配置である。また、保護枠３００は枠状であるから、その保護枠３００の保護板３１０に沿って配置される第一鉄筋３４０も枠状となる。そのため、脚部３２０を保護枠３００の四隅に配置すると、第一鉄筋３４０を支え易く、一般的によく採用される配置である。したがって、保護枠３００では、四隅に脚部３２０を配置して、この脚部３２０に第一鉄筋３４０を支持する機能と第二鉄筋Ｘの先端を位置決めする機能を兼任させるのが、合理的であった。
【００３６】
一方、図５に示す本願発明でも、従来の配置を踏襲して、脚部１２０及び位置決め部材１３０は、保護枠１００の四隅に配置している。そのため、脚部１２０と位置決め部材１３０は縦方向に重なる配置となる。ただし、このような配置となっても、本願発明では図５に示すように、脚部１２０の外径は位置決め部材１３０の外径より小さくなっているので、脚部１２０の周囲には、充填空間が形成される。そして、上方から流れ込んだコンクリートＣは、位置決め部材１３０の外側面に沿って流れ、脚部１２０の周囲の充填空間に充填される（図５（ｂ）の点線矢印参照）。したがって、脚部１２０と位置決め部材１３０とが縦方向に重なる配置であっても、上方から流れてきたコンクリートＣは、脚部１２０の周囲に到達し、その周りに十分に充填されるので、亀裂の原因となる空洞等ができることはないし、充填されたコンクリートＣ部分の厚さが厚いので、損傷し難くなる。
【００３７】
また、位置決め部材１３０は、内部が中空状で、その縦方向の両端は開口部１３２となっている。そして、脚部１２０の周囲の空間は、この開口部１３２と縦方向に連通しているので、上方から流れてきたコンクリートＣは、位置決め部材１３０の開口部１３２を介して、脚部１２０の周囲まで到達する（図５（ｂ）の実線矢印参照）。そのため、脚部１２０と位置決め部材１３０とが縦方向に重なる配置であっても、上方から流れてきたコンクリートＣは、位置決め部材１３０を介して、脚部１２０の周囲に到達し、その周りに十分に充填されるので、亀裂の原因となる空洞等ができることはない。
【００３８】
なお、図５では、脚部１２０は棒状であったが、その他の形状を採用してもよい。本願発明では、脚部１２０とは別に位置決め部材１３０を設けたことで、従来のように第二鉄筋Ｘの先端を脚部１２０に差し込む必要がなくなった。したがって、第二鉄筋Ｘの先端を差し込まない分だけ、脚部１２０を小さくして、脚部１２０の周囲にコンクリートＣを充填する空間を備えることができる形状であれば、適宜任意の形状を採用することができる。
【００３９】
では次に、図６を参照して、保護枠１００を備えた集水桝２００の使用方法について説明する。この集水桝２００は、車道や歩道等の路面Ｒに埋設された排水管（Ｐ１〜Ｐ４）等と接続されて、これらの排水管（Ｐ１〜Ｐ４）からの雨水を集水するものである。この集水桝２００の上端側に取り付けられた保護枠１００の表面は、路面Ｒに露出しており、その他の部分は、路面Ｒ内に埋設されている。
【００４０】
例えば、集水桝２００に排水管Ｐ１を接続する際は、現場にて、縦断面が略矩形状の排水管Ｐ１と一致する貫通孔を本体部２１０にあける必要がある。そこで、本体部２１０の外側面２１１には、切り溝２４０が形成されているので、その切り溝２４０に沿って、切削工具（ダイヤモンドカッター）で切り込めば、容易に排水管Ｐ１の形状と一致する貫通孔を空けることができる。また、切り溝２４０が設けられた外側面２１１の裏側は、薄肉の凹部２３０となっているので、切削工具で切り込んで容易に貫通させることができる。さらに、外側面２１１は平面状に形成されているので、作業者は、切削工具を用いて、その平面に対して切削加工を行えばよい。例えば、外側面２１１の一部が窪み、凹凸面を備えていると、切削工具の一部が外側面の凹凸面と干渉して切削作業が困難になるが、本願のように、外側面２１１は平面状であれば、切削工具が外側面に干渉することがなく、切削加工が行い易くなる。
【００４１】
（変形例１）
次に以下では、本発明の保護枠１００の変形例１である保護枠１００Ａについて図７（ａ）を参照して説明する。なお、変形例１における保護枠１００Ａは、脚部１２０Ａの位置が、図２に示す保護枠１００の脚部１２０の位置と異なるのみで、他の構成は保護枠１００と同じなので、詳細な説明は省略する。
【００４２】
図７（ａ）に示すように、脚部１２０Ａは保護枠１００Ａの四隅ではなく、四隅からズレた位置に設けられている。そのため、位置決め部材１３０Ａと脚部１２０Ａは縦方向に重なることはない。このように、脚部１２０Ａは任意の位置に設けることができる。そして、第一鉄筋１４０Ａを支持するための脚部１２０Ａと、第二鉄筋Ｘを位置決めするための位置決め部材１３０Ａを個別に設けたことで、従来のように、脚部１２０Ａに第二鉄筋Ｘの先端を差し込むために、脚部１２０Ａを大きくする必要がない。その結果、第二鉄筋Ｘの先端を差し込まない分だけ、脚部１２０Ａの外径を小さくすることが可能で、コンクリートＣを充填できる空間を周囲に備えた形状、例えば、図７（ａ）に示すように脚部１２０Ａを棒状とすることができる。したがって、脚部１２０Ａ周辺はコンクリートの厚さが厚くなり、その結果、脚部１２０Ａ周辺の集水桝の縁部は、損傷しにくくなる。
【００４３】
（変形例２）
以下では、本発明の保護枠１００の変形例２である保護枠１００Ｂについて図７（ｂ）及び図７（ｃ）を参照して説明する。なお、変形例２における保護枠１００Ｂは、位置決め部材１３０Ｂの形状が、図２に示す保護枠１００の位置決め部材１３０の形状と異なるのみで、他の構成は保護枠１００と同じなので、詳細な説明は省略する。
【００４４】
図７（ｂ）及び（ｃ）に示すように、位置決め部材１３０Ｂは、四方が側壁１３１Ｂで囲まれ、上面は開口部１３２Ｂで、下面は底壁１３３Ｂとなった箱形である。そして、第二鉄筋Ｘの先端を、側壁１３１Ｂの内側に配置すれば、第二鉄筋Ｘの先端は側壁１３１Ｂの内側から外れることがないので、第二鉄筋Ｘの先端を位置決めできる。また、第二鉄筋Ｘの先端は底壁１３３Ｂに当接して、縦方向に支持される。このように、位置決め部材１３０Ｂの形状は、第二鉄筋Ｘの先端が位置決め部材１３０Ｂから外れない程度に位置決めできる形状であればよく、筒状や箱形等の任意の形状を採用できる。
【００４５】
なお、本願発明の保護枠及び当該保護枠を備えた集水桝は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2017036646.tif 000003
【図２】
2017036646.tif 000004
【図３】
2017036646.tif 000005
【図４】
2017036646.tif 000006
【図５】
2017036646.tif 000007
【図６】
2017036646.tif 000008
【図７】
2017036646.tif 000009
【図８】
2017036646.tif 000010
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
内部に集水空間を備える集水桝の上端に取り付ける保護板と、
集水桝を構成するコンクリートと固着するための第一鉄筋を、前記保護板の裏面側に沿うように備えた保護枠であって、
前記保護板の裏面側から延び、前記第一鉄筋を前記保護板の裏面側から所定距離離した状態で支える脚部と、
前記集水桝を構成するコンクリートの縦方向の骨組みとなる第二鉄筋の先端の位置を決めるための、位置決め部材とを備え、
当該位置決め部材は、中空状で、縦方向の両端のそれぞれに開口部を備え、
前記一方の開口部が前記第一鉄筋上に接した状態で、前記位置決め部材は、前記第一鉄筋上に設置されていることを特徴とする保護枠。
【請求項２】
請求項１に記載の保護枠を備えた集水桝であって、
本体部の外側面は、平面状に形成され、
本体部の内側面には、薄肉の凹部が形成され、
当該凹部に対応する本体部の外側面には、切り溝が形成されていることを特徴とする集水桝。